(57)【要約】【課題】土地を効率よく活用することができる太陽光発電システムを提供する。【解決手段】太陽光発電システムにおいて、日付または時刻の情報である日時情報に対応付けて、各太陽電池モジュール１に影がかかるか否かを示す影情報を記憶する記憶部６１と、時計部６２から現在の日時情報を取得し、当該日時情報に基づいて記憶部６１から影情報を読み出し、当該影情報に基づいて、各太陽電池モジュール１が太陽電池ストリング５の直列接続に含まれる状態（スイッチ２が接続配線３と太陽電池モジュール１とを接続した第１の状態）と、太陽電池ストリング５の直列接続から切り離された状態（スイッチ２が接続配線３と迂回配線４とを接続した第２の状態）とを切り替える制御部６４とを備えるようにした。影がかかる場合がある領域にも太陽電池モジュール１を配置することができるので、土地を効率よく活用することができる。【選択図】図１
2015095146.tif 000002
【特許請求の範囲】
【請求項１】
複数の太陽電池モジュールを直列接続した太陽電池ストリングを備える太陽光発電システムであって、
日付または時刻の情報である日時情報に対応付けて、前記各太陽電池モジュールに影がかかるか否かを示す影情報を記憶する記憶手段と、
現在の日時情報を取得する日時情報取得手段と、
前記日時情報取得手段によって取得された日時情報に基づいて、前記記憶手段から影情報を読み出す読出手段と、
前記読出手段によって読み出された影情報に基づいて、前記各太陽電池モジュールが前記太陽電池ストリングの直列接続に含まれる状態と、前記太陽電池ストリングの直列接続から切り離された状態とを切り替える切替手段と、
を備えていることを特徴とする太陽光発電システム。
【請求項２】
前記太陽電池ストリングは、
前記太陽電池モジュールと、
前記太陽電池モジュールを接続しないように迂回するための迂回配線と、
前記太陽電池モジュールを隣の太陽電池モジュールに接続するための接続配線と、
前記接続配線と前記太陽電池モジュールとを接続した第１の状態と、前記接続配線と前記迂回配線とを接続した第２の状態とに切り替えられるスイッチと、
を備えており、
前記切替手段は、
前記スイッチを前記第１の状態とすることで、前記太陽電池モジュールが前記太陽電池ストリングの直列接続に含まれる状態とし、
前記スイッチを前記第２の状態とすることで、前記太陽電池モジュールが前記太陽電池ストリングの直列接続から切り離された状態とする、
請求項１に記載の太陽光発電システム。
【請求項３】
前記太陽電池モジュールの端子間電圧を計測する電圧センサと、
前記電圧センサによって計測された電圧値が所定電圧値未満の場合に、前記各太陽電池モジュールが前記太陽電池ストリングから切り離された状態にする切離手段と、
をさらに備えている、
請求項１または２に記載の太陽光発電システム。
【請求項４】
前記太陽電池モジュールの周辺の日射強度を計測する日射強度センサと、
前記日射強度センサによって計測された日射強度が所定値未満の場合に、前記各太陽電池モジュールが前記太陽電池ストリングから切り離された状態にする第２の切離手段と、
をさらに備えている、
請求項１ないし３のいずれかに記載の太陽光発電システム。
【請求項５】
前記太陽電池モジュールが化合物系である、
請求項１ないし４のいずれかに記載の太陽光発電システム。
【発明の詳細な説明】
【技術分野】
【０００１】
本発明は、太陽光発電システムに関する。
【背景技術】
【０００２】
近年、メガソーラーと呼ばれる大規模な太陽光発電システムが各地に建設されている。太陽光発電システムは、複数の太陽電池ストリングを複数並列接続した太陽電池アレイが出力する直流電力を、パワーコンディショナで交流電力に変換して、負荷や電力系統に供給する。太陽電池ストリングは、複数の太陽電池モジュールを直列接続して構成される（例えば、特許文献１参照）。
【０００３】
図５は、従来の太陽光発電システムを説明するための図であり、太陽電池アレイを示している。複数の太陽電池モジュール１が直列接続されて太陽電池ストリング５を構成し、複数の太陽電池ストリング５が並列接続されて太陽電池アレイを構成している。
【０００４】
図５(ａ)に示すように、一部の太陽電池モジュール１に影がかかった場合、当該太陽電池モジュール１は、発電量が低下して、抵抗のように働く。したがって、この太陽電池モジュール１を直列接続している太陽電池ストリング５全体に影響を及ぼす。したがって、影ができることがあらかじめ分かっている場合、影がかかる位置を避けて太陽電池モジュール１を配置する。図５(ｂ)は、影Ｓができる位置を避けて太陽電池モジュール１を配置した場合を示している。
【０００５】
太陽光発電システムを建設する場合、影がかかる位置に太陽電池モジュール１を配置しないように、建物の影ができる領域（以下では、「日影影響領域」とする。）をあらかじめ調査して、設計を行う。
【０００６】
図６（ａ）は、日影影響領域について説明するための図であり、敷地Ａにおける建物Ｂの日影影響領域Ｃを示している。図の上側が北側である。冬至の日に太陽が一番低くなるので、一番広い範囲に建物Ｂの影が及ぶ。日影影響領域Ｃは、冬至の日の影に基づいて設定される。破線で示す影Ｓ１が、冬至の日の朝の建物Ｂの影である。同様に、破線で示す影Ｓ２およびＳ３は、それぞれ正午と夕刻の影を示している。日影影響領域Ｃは、冬至の日の発電可能時間（例えば、８時から１６時）中で、所定時間（例えば１時間）以上の影がかかる領域として設定されている。各太陽電池モジュール１は、敷地Ａのうち日影影響領域Ｃ以外の領域に配置される。
【先行技術文献】
【特許文献】
【０００７】
【特許文献１】特開２０１２‐１６９５３１号公報
【発明の概要】
【発明が解決しようとする課題】
【０００８】
図６（ａ）に示すように、日影影響領域Ｃのうち影Ｓ３がかかる領域は、午前中にはほとんど影がかからないのに、太陽電池モジュール１が配置されない。時間帯によっては発電可能にもかかわらず、太陽電池モジュール１が配置されていないので発電できない。敷地Ａを有効に活用できていない。
【０００９】
図６（ｂ）は、夏至の日の日影影響領域Ｃ’を示している。破線で示す影Ｓ１’が、夏至の日の朝の建物Ｂの影である。同様に、破線で示す影Ｓ２’およびＳ３’は、それぞれ正午と夕刻の影を示している。夏至の日の日影影響領域Ｃ’は、（冬至の日の）日影影響領域Ｃと比べて狭い領域になる。図６（ｂ）に示すように、日影影響領域Ｃのうち日影影響領域Ｃ’以外の領域は、冬至の日前後以外にはほとんど影がかからないのに、太陽電池モジュール１が配置されない。季節によっては発電可能にもかかわらず、太陽電池モジュール１が配置されていないので発電できない。敷地Ａを有効に活用できていない。
【００１０】
本発明は上記した事情のもとで考え出されたものであって、土地を効率よく活用することができる太陽光発電システムを提供することをその目的としている。
【課題を解決するための手段】
【００１１】
上記課題を解決するため、本発明では、次の技術的手段を講じている。
【００１２】
本発明の第１の側面によって提供される太陽光発電システムは、複数の太陽電池モジュールを直列接続した太陽電池ストリングを備える太陽光発電システムであって、日付または時刻の情報である日時情報に対応付けて、前記各太陽電池モジュールに影がかかるか否かを示す影情報を記憶する記憶手段と、現在の日時情報を取得する日時情報取得手段と、前記日時情報取得手段によって取得された日時情報に基づいて、前記記憶手段から影情報を読み出す読出手段と、前記読出手段によって読み出された影情報に基づいて、前記各太陽電池モジュールが前記太陽電池ストリングの直列接続に含まれる状態と、前記太陽電池ストリングの直列接続から切り離された状態とを切り替える切替手段とを備えていることを特徴とする。
【００１３】
本発明の好ましい実施の形態においては、前記太陽電池ストリングは、前記太陽電池モジュールと、前記太陽電池モジュールを接続しないように迂回するための迂回配線と、前記太陽電池モジュールを隣の太陽電池モジュールに接続するための接続配線と、前記接続配線と前記太陽電池モジュールとを接続した第１の状態と、前記接続配線と前記迂回配線とを接続した第２の状態とに切り替えられるスイッチとを備えており、前記切替手段は、前記スイッチを前記第１の状態とすることで、前記太陽電池モジュールが前記太陽電池ストリングの直列接続に含まれる状態とし、前記スイッチを前記第２の状態とすることで、前記太陽電池モジュールが前記太陽電池ストリングの直列接続から切り離された状態とする。
【００１４】
本発明の好ましい実施の形態においては、前記太陽光発電システムは、前記太陽電池モジュールの端子間電圧を計測する電圧センサと、前記電圧センサによって計測された電圧値が所定電圧値未満の場合に、前記各太陽電池モジュールが前記太陽電池ストリングから切り離された状態にする切離手段とをさらに備えている。
【００１５】
本発明の好ましい実施の形態においては、前記太陽光発電システムは、前記太陽電池モジュールの周辺の日射強度を計測する日射強度センサと、前記日射強度センサによって計測された日射強度が所定値未満の場合に、前記各太陽電池モジュールが前記太陽電池ストリングから切り離された状態にする第２の切離手段とをさらに備えている。
【００１６】
本発明の好ましい実施の形態においては、前記太陽電池モジュールが化合物系である。
【発明の効果】
【００１７】
本発明によると、現在の日時情報に対応した影情報が読み出され、当該影情報に応じて、各太陽電池モジュールの接続状態を切り替える。影がかかる太陽電池モジュールが直列接続から切り離され、太陽電池ストリングに影響を及ぼさないので、影がかかる場合がある領域にも太陽電池モジュールを配置することができる。これにより、土地を効率よく活用することができる。
【００１８】
本発明のその他の特徴および利点は、添付図面を参照して以下に行う詳細な説明によって、より明らかとなろう。
【図面の簡単な説明】
【００１９】
【図１】第１実施形態に係る太陽光発電システムを説明するための図である。
【図２】制御部が行う切替処理を説明するためのフローチャートである。
【図３】時刻によって太陽電池モジュールの接続状態が変わる様子を説明するための図である。
【図４】第２実施形態に係る太陽光発電システムを説明するための図である。
【図５】従来の太陽光発電システムを説明するための図である。
【図６】日影影響領域について説明するための図である。
【発明を実施するための形態】
【００２０】
以下、本発明の実施の形態を、図面を参照して具体的に説明する。
【００２１】
図１は、第１実施形態に係る太陽光発電システムを説明するための図である。当該太陽光発電システムは、複数の並列接続された太陽電池ストリング５および切替制御装置６を備えている。なお、同図においては、並列接続された複数の太陽電池ストリング５が接続されるパワーコンディショナなどの記載を省略している。各太陽電池ストリング５で生成された直流電力は、パワーコンディショナで交流電力に変換されて、負荷や電力系統に供給される。
【００２２】
太陽電池ストリング５は、太陽電池モジュール１、スイッチ２、接続配線３、および、迂回配線４を備えている。図１では、一番上の太陽電池ストリング５１においては詳細な表示を行っているが、下の２つの太陽電池ストリング５においては簡略化した表示としている。
【００２３】
太陽電池モジュール１は、太陽光を電気エネルギーに変換することで発電を行うものである。太陽電池モジュール１は、図示しない複数の太陽電池セルを直並列に接続して構成されている。本実施形態では、結晶シリコン系の太陽電池セルを用いている。なお、太陽電池セルの種類は限定されない。太陽電池モジュール１は、日付や時間帯によっては影がかかる領域にも配置される。
【００２４】
スイッチ２は、太陽電池モジュール１が太陽電池ストリング５の直列接続に含まれる状態と、太陽電池ストリング５の直列接続から切り離された状態とを切り替えるものである。スイッチ２は、各太陽電池モジュール１に２つずつ設けられている。各スイッチ２は、切替制御装置６から入力される信号に応じて、接続配線３と太陽電池モジュール１の出力端子とを接続した状態（第１の状態）と、接続配線３と迂回配線４とを接続した状態（第２の状態）とに切り替えられる。スイッチ２が第１の状態になった場合、当該太陽電池モジュール１は、太陽電池ストリング５の直列接続に含まれる状態になる（図１の太陽電池モジュール１２参照）。一方、スイッチ２が第２の状態になった場合、当該太陽電池モジュール１は、太陽電池ストリング５の直列接続から切り離された状態になる（図１の太陽電池モジュール１１参照）。図１の太陽電池ストリング５１においては、太陽電池モジュール１２は直列接続されているが、太陽電池モジュール１１が切り離されている状態を示している。
【００２５】
なお、太陽電池モジュール１が太陽電池ストリング５の直列接続から切り離された状態でも、太陽電池ストリング５が所望の電圧を維持できるように、各太陽電池ストリング５が備える太陽電池モジュール１の数を適宜設計する必要がある。また、影がかかる時間が所定時間未満である太陽電池モジュール１に対しては、対応するスイッチ２および迂回配線４が設けられておらず、これらの太陽電池モジュール１は、従来のものと同様に、接続配線３によって直列接続されている（図１の太陽電池モジュール１３参照）。つまり、影がかかる時間が所定時間以上である太陽電池モジュール１、すなわち、日影影響領域Ｃ（図６参照）に配置される太陽電池モジュール１に対してのみ、対応するスイッチ２および迂回配線４が設けられる。
【００２６】
切替制御装置６は、各スイッチ２の切り替えを制御するものである。切替制御装置６は、記憶部６１、時計部６２、通信部６３、および、制御部６４を備えている。
【００２７】
記憶部６１は、日付および時刻によってどの太陽電池モジュール１に影がかかるかを示す情報（影情報）を記憶するものである。影情報は、日付と時刻（例えば、５分毎の時刻）に対応付けられた、影がかかる太陽電池モジュール１の情報（例えば、各太陽電池モジュール１に付与されている通し番号など）である。記憶部６１には、１年間の発電が可能な（太陽が出て所定の日射強度になる）時間帯の影情報が、あらかじめ記憶されている。
【００２８】
時計部６２は、時計の機能とカレンダーの機能とを有するものであり、現在の日時を制御部６４に出力する。通信部６３は、各スイッチ２と通信を行うものであり、制御部６４の指示に応じた信号を、各スイッチ２に出力する。通信方法は、ケーブルを介した有線通信であってもよいし、無線通信であってもよい。
【００２９】
制御部６４は、切替制御装置６を制御するものであり、各スイッチ２を切り替える切替処理を行う。制御部６４は、時計部６２より入力される現在の日時に応じて、記憶部６１に記憶されている影情報を読み出し、当該影情報に応じて通信部６３に信号を出力させる。制御部６４は、影がかかる太陽電池モジュール１の切り替えを行うためのスイッチ２に対してハイレベル信号である迂回信号を出力させる。迂回信号を入力されたスイッチ２は第２の状態（接続配線３と迂回配線４とを接続した状態）になり、太陽電池モジュール１は太陽電池ストリング５の直列接続から切り離された状態になる。また、制御部６４は、影がかからない太陽電池モジュール１の切り替えを行うためのスイッチ２に対してはローレベル信号を出力させる。ローレベル信号を入力されたスイッチ２は第１の状態（接続配線３と太陽電池モジュール１の出力端子とを接続した状態）になり、太陽電池モジュール１は太陽電池ストリング５の直列接続に含まれる状態になる。
【００３０】
図２は、制御部６４が行う切替処理を説明するためのフローチャートである。当該切替処理は、切替制御装置６の起動時に開始される。
【００３１】
まず、制御部６４は、時計部６２から現在の日付と時刻とを取得する（Ｓ１）。そして、取得した日時に応じた影情報を、記憶部６１から読み出す（Ｓ２）。なお、本実施形態では、影情報が対応付けられている時刻毎（例えば、５分毎）に、影情報を読み出す。制御部６４は、読み出した影情報から影がかかる（迂回が必要な）太陽電池モジュール１があるか否かを判別し（Ｓ３）、ある場合（Ｓ３：ＹＥＳ）には、影がかかる太陽電池モジュール１の切り替えを行うためのスイッチ２に対して、通信部６３から迂回信号（ハイレベル信号）を出力させて（Ｓ４）、ステップＳ１に戻る。通信部６３は、制御部６４から指示がない場合は、各スイッチ２に対してローレベル信号を出力する。影がかかる太陽電池モジュール１がない場合（Ｓ３：ＮＯ）には、迂回信号（ハイレベル信号）を出力させず、すべてのスイッチ２に対してローレベル信号を出力させて、ステップＳ１に戻る。以下、ステップＳ１〜Ｓ４が繰り返される。つまり、通常は、各スイッチ２がローレベル信号を入力されて第１の状態になって、太陽電池モジュール１は太陽電池ストリング５の直列接続に含まれる状態になっているが、影がかかる太陽電池モジュール１の切り替えを行うためのスイッチ２には迂回信号（ハイレベル信号）が入力されて第２の状態になり、影がかかる太陽電池モジュール１が太陽電池ストリング５の直列接続から切り離された状態になる。なお、切替処理のフローチャートは、図２に示すものに限定されない。
【００３２】
図３は、時刻によって太陽電池モジュール１の接続状態が変わる様子を説明するための図である。同図においては、太陽電池ストリング５１の太陽電池モジュール１１および１２の周辺のみを記載し、その他の記載を省略している。
【００３３】
図３（ａ）は、太陽電池モジュール１１および１２に影Ｓがかからない時間帯の状態を示している。この時間帯では、スイッチ２１および２２は、ローレベル信号を入力されて、第１の状態（接続配線３と太陽電池モジュール１１（１２）の出力端子とを接続した状態）になって、太陽電池モジュール１１および１２が太陽電池ストリング５１の直列接続に含まれる状態になっている。図３（ａ）では、影Ｓが左から右に進んできているが、太陽電池モジュール１１にまだ影Ｓがかかっていない。
【００３４】
図３（ａ）の状態の直後に、記憶部６１に記憶されている影情報に基づいて、スイッチ２１に迂回信号（ハイレベル信号）が入力されて、スイッチ２１が第１の状態から第２の状態（接続配線３と迂回配線４とを接続した状態）に切り替わる。その後も、迂回信号（ハイレベル信号）の入力が継続されて第２の状態を継続している。一方、スイッチ２２には迂回信号（ハイレベル信号）が入力されず、ローレベル信号の入力が継続しており、スイッチ２２は第１の状態を継続している。このとき、太陽電池モジュール１２が太陽電池ストリング５１の直列接続に含まれるが、太陽電池モジュール１１が太陽電池ストリング５１の直列接続から切り離された状態になっている（図３（ｂ）参照）。したがって、影Ｓがかかっている太陽電池モジュール１１が太陽電池ストリング５１に影響を及ぼさないようになっている。
【００３５】
図３（ｂ）の状態のしばらく後に、記憶部６１に記憶されている影情報に基づいて、スイッチ２２に迂回信号（ハイレベル信号）が入力されて、スイッチ２２が第１の状態から第２の状態に切り替わる。その後も、迂回信号（ハイレベル信号）の入力が継続されて第２の状態を継続している。一方、スイッチ２１にも迂回信号（ハイレベル信号）の入力が継続しており、スイッチ２１は第２の状態を継続している。このとき、太陽電池モジュール１１および１２が太陽電池ストリング５１の直列接続から切り離された状態になっている（図３（ｃ）参照）。したがって、影Ｓがかかっている太陽電池モジュール１１および１２が太陽電池ストリング５１に影響を及ぼさないようになっている。
【００３６】
図３（ｃ）の状態のしばらく後に、記憶部６１に記憶されている影情報に基づいて、スイッチ２１への迂回信号（ハイレベル信号）の入力が停止されて（ローレベル信号が入力されて）、スイッチ２１が第２の状態から第１の状態に切り替わる。その後も、ローレベル信号の入力が継続されて第１の状態を継続している。一方、スイッチ２２への迂回信号（ハイレベル信号）の入力は継続されており、スイッチ２２は第２の状態を継続している。このとき、太陽電池モジュール１１が太陽電池ストリング５１の直列接続に含まれるが、太陽電池モジュール１２が太陽電池ストリング５１の直列接続から切り離された状態になっている（図３（ｄ）参照）。したがって、影Ｓがかかっている太陽電池モジュール１２が太陽電池ストリング５１に影響を及ぼさないようになっている。
【００３７】
図３（ｄ）の状態のしばらく後に、記憶部６１に記憶されている影情報に基づいて、スイッチ２２への迂回信号（ハイレベル信号）の入力も停止されて（ローレベル信号が入力されて）、スイッチ２２が第２の状態から第１の状態に切り替わる。その後も、ローレベル信号の入力が継続されて第１の状態を継続している。一方、スイッチ２１へのローレベル信号の入力も継続しており、スイッチ２１は第１の状態を継続している。このとき、図３（ａ）の状態と同様に、太陽電池モジュール１１および１２が太陽電池ストリング５１の直列接続に含まれる状態になる。
【００３８】
本実施形態において、切替制御装置６は、記憶部６１に記憶された影情報に基づいて、影がかかる太陽電池モジュール１が太陽電池ストリング５１の直列接続から切り離された状態に切り替える。したがって、当該太陽電池モジュール１に影がかかったとしても、太陽電池ストリング５１に影響を及ぼさないので、影がかかる場合がある領域にも太陽電池モジュール１を配置することができる。これにより、土地を効率よく活用することができる。
【００３９】
なお、本実施形態においては、記憶部６１が日付および時刻（例えば、５分毎の時刻）に対応付けて影情報を記憶している場合について説明したが、これに限られない。同時刻の影の位置は１日ではあまり変化しないので、１週間毎や月毎に記憶するようにしてもよい。また、５分毎ではなく、１０分毎や１時間毎に記憶するようにしてもよい。期間を短くするほど、記憶部６１に記憶すべき情報量が多くなるので、影情報を取得して記憶させる手間がかかり、多くの記憶領域を必要とするが、より細かい制御を行うことができる。反対に、期間を長くするほど、制御が大雑把になるが、影情報を取得して記憶させる手間が簡略化され、記憶領域が少なくて済む。また、日付の情報を用いずに、時刻のみに対応付けて影情報を記憶してもよいし、時刻の情報を用いずに、日付のみに対応付けて影情報を記憶してもよい。
【００４０】
本実施形態においては、１つの太陽電池モジュール１毎にスイッチ２を設ける場合について説明したが、これに限られない。複数の太陽電池モジュール１毎にスイッチ２を設けるようにしてもよい。この場合、スイッチ２や迂回配線４の数を削減することができる。
【００４１】
上記第１実施形態は、あらかじめ影が生じることが予測できる場合に、影がかかる太陽電池モジュール１を太陽電池ストリング５の直列接続から切り離して、太陽電池ストリング５に影響を及ぼさないようにするものである。したがって、予測できない影が太陽電池モジュール１にかかった場合には、太陽電池ストリング５に影響が及ぶ場合がある。例えば、雲の影、太陽電池モジュール１の受光面に付着したごみや汚れによって生じる影は予測することができない。これらの影によっても、太陽電池ストリング５に影響が及ぶ場合がある。予測できない影による影響も考慮した場合を、第２実施形態として以下に説明する。
【００４２】
図４（ａ）は、第２実施形態に係る太陽光発電システムを説明するための図であり、１つの太陽電池モジュール１（図１の太陽電池モジュール１１，１２に対応）の周辺だけを記載したものである。図４（ａ）において、第１実施形態に係る太陽光発電システム(図１参照）と同一または類似の要素には、同一の符号を付している。
【００４３】
第２実施形態に係る太陽光発電システムは、すべての太陽電池モジュール１に対して対応するスイッチ２および迂回配線４が設けられている点と、各太陽電池モジュール１に対して、電圧センサ７および切離部８が設けられている点で、第１実施形態に係る太陽光発電システムと異なる。
【００４４】
電圧センサ７は、太陽電池モジュール１の端子間電圧を計測するものである。電圧センサ７は計測した電圧値を切離部８に出力する。切離部８は、スイッチ２の切り替えを制御するものである。切離部８は、太陽電池モジュール１の端子間電圧が所定電圧値未満になった場合、太陽電池モジュール１に影がかかった、または、太陽電池モジュール１が故障したと判断して、太陽電池モジュール１を太陽電池ストリング５の直列接続から切り離された状態にする。具体的には、切離部８は、電圧センサ７より入力される電圧値を所定電圧値と比較して、所定電圧値未満の場合に、スイッチ２に対して迂回信号（ハイレベル信号）を出力する。迂回信号を入力されたスイッチ２は第２の状態（接続配線３と迂回配線４とを接続した状態）になり、太陽電池モジュール１は太陽電池ストリング５の直列接続から切り離された状態になる。
【００４５】
第２実施形態においては、太陽電池モジュール１の端子間電圧が所定電圧値未満になった場合にも、当該太陽電池モジュール１を太陽電池ストリング５の直列接続から切り離された状態にする。したがって、予測できない影が太陽電池モジュール１にかかった場合や太陽電池モジュール１が故障した場合にも、当該太陽電池モジュール１が太陽電池ストリング５に影響を及ぼすことを防止することができる。
【００４６】
また、電圧センサ７に代えて、太陽電池モジュール１への日射強度を計測する日射強度センサ７’を設け、切離部８が日射強度センサ７’より入力される日射強度が所定値未満の場合に迂回信号（ハイレベル信号）を出力するようにしてもよい（図４(ｂ)参照）。この場合も、予測できない影が太陽電池モジュール１にかかった場合に、当該太陽電池モジュール１が太陽電池ストリング５に影響を及ぼすことを防止することができる。
【００４７】
なお、太陽電池モジュール１を結晶シリコン系ではなく、ＣＩＳ、ＣＩＧＳなどの化合物系にすれば、太陽電池モジュール１の一部に影がかかっても発電をすることができるので、太陽電池ストリング５に及ぼす影響を緩和することができる。
【００４８】
本発明に係る太陽光発電システムは、上述した実施形態に限定されるものではない。本発明に係る太陽光発電システムの各部の具体的な構成は、種々に設計変更自在である。
【符号の説明】
【００４９】
１，１１，１２  太陽電池モジュール
２，２１，２２  スイッチ
３  接続配線
４  迂回配線
５  太陽電池ストリング
６  切替制御装置
６１  記憶部
６２  時計部
６３  通信部
６４  制御部（日時情報取得手段、読出手段、切替手段）
７  電圧センサ
７’  日射強度センサ
８  切離部（切離手段、第２の切離手段）
Ｓ，Ｓ１，Ｓ２，Ｓ３，Ｓ１’，Ｓ２’，Ｓ３’  影
Ａ  敷地
Ｂ  ビル
Ｃ，Ｃ’  日影影響領域
【図１】
2015095146.tif 000003
【図２】
2015095146.tif 000004
【図３】
2015095146.tif 000005
【図４】
2015095146.tif 000006
【図５】
2015095146.tif 000007
【図６】
2015095146.tif 000008